(57)【要約】      （修正有） 【課題】ロール製品の吊り上げ高さが低くて済み狭い空間でもロール製品の収容及び取りだしが可能なロール製品用コンテナを提供する。【解決手段】ロール製品７００の支管７１０を支持する支管受け５００を有する枠組み材４００においては、製品搬出入側においては支柱を低くし、支管受け部材５１０の縁よりも高い部材は構成しない。従って、ロール製品７００は、支管７１０の底部がこの支管受け部材５１０の縁の高さよりも高くなるだけ吊り上げれば収容あるいは取り出しが可能となり、従来のように、側板とほぼ等しい高さまで吊り上げる必要がない。【選択図】図７
0003183113.tif 000002
【実用新案登録請求の範囲】
【請求項１】
パレットと、
前記パレット上に対向して立設される一対の第１の側板と、
前記第１の側板に略垂直に前記パレット上に対向して立設され、前記一対の第１の側板の対向する側辺を各々連結する一対の第２の側板と、
前記第１の側板及び前記第２の側板の上辺に沿って当該上辺に支持されて設置され、前記第１の側板及び前記第２の側板で囲まれる前記パレット上の収容空間の上部開口を閉塞する上蓋と、
前記パレット上に対向して立設される一対の枠組み材であって、前記第１の側板と平行に、当該一対の第１の側板の内側に立設される一対の枠組み材と、
前記一対の枠組み材の対向する位置に各々設置され、前記収容空間に収容されるロール製品の支管を受ける一対の支管受けとを有し、
前記一対の枠組み材は、前記第１の側板と平行な方向における、ロール製品を収容した場合に当該ロール製品の支管の中心が配置される位置から一方の側端部までの間における高さが、ロール製品を収容した場合に当該ロール製品の支管の最下端となる高さよりも高く、前記第２の側板の高さよりも低い範囲に形成されていることを特徴とするロール製品用組み立て式コンテナ。
【請求項２】
前記パレットの上部周縁に設置され、前記第１の側板が立設される位置に沿って設置される２つの第１の枠部、及び、前記第２の側板が立設される位置に沿って設置される２つの第２の枠部を有する下金枠をさらに有し、
前記第１の側板及び前記第２の側板は前記下金枠に沿って前記パレット上に立設され、
前記下金枠の、前記２つの第２の枠部の各両端部の内側の対向する位置に、各々、前記枠組み材の下側部が落とし込まれる溝部であって、当該落とし込まれた前記枠組み材の下側部を保持し当該枠組み材を前記パレット上に立設された状態に維持する溝部が形成されていることを特徴とする請求項１に記載のロール製品用組み立て式コンテナ。
【請求項３】
前記下金枠の前記第１の枠部及び前記第２の枠部は、各々、所定の高さの位置に、前記第１の側板及び前記第２の側板が載置され前記立設される段部を有し、
前記枠組み材は、当該枠組み材の高さが前記範囲に形成されている側の前記一方の側端部に、スペーサ部であって、当該枠組み材を前記下金枠の前記溝部に落とし込んで当該枠組み材を前記パレット上に立設した状態において前記下金枠の前記段部と同じ高さとなるスペーサ部を有し、
前記一対の枠組み材の前記一方の側端部が配置された側の前記第２の枠部においては、当該第２の枠部の前記段部及び前記枠組み材の前記スペーサ部の上部に前記第２の側板が載置されて前記立設されることを特徴とする請求項２に記載のロール製品用組み立て式コンテナ。
【考案の詳細な説明】
【技術分野】
【０００１】
本考案は、ロール製品を収容して搬送等する組み立て式コンテナに関し、特に、ロール製品の収容及び取り出しを狭い空間でも容易に行うことのできるロール製品用組み立て式コンテナに関する。
【背景技術】
【０００２】
従来、ロール製品を搬送あるいは保管等するための収容部材としては、ロール製品の支管を受け台にて受けてロール製品を固定収容する形態のラックやコンテナが知られている。その中で、高価なロールフィルム等を扱う場合は、パレット上に周囲環境と分離した閉塞した収容空間を形成してロール製品を収容するコンテナ（収容ボックス、保管ボックス）が用いられる。
【０００３】
そのようなロール製品用の収容部材においては、ロール製品を収容しない状態では収容部材をできるだけコンパクトにしておくことが有効なため、組み立て式（折り畳み式）のものが広く普及している。また、ロール製品を収容した状態あるいは収容していない状態のいずれにおいても効率的にラックやコンテナの搬送や保管等を行うことができるように、段積み（積み重ね）可能な構成のものが一般的に用いられている（例えば特許文献１参照）。
【０００４】
そのようなロール製品用ラックあるいコンテナにおいてロール製品の支管を受ける受け台としては、スチールラック方式（例えば特許文献２参照）と仕切り板方式（例えば特許文献３参照）とに分けることができる。
【０００５】
スチールラック方式は、ロール製品の支管を受けるＵ字形またはＶ字形の支管受けを含む受け台を枠材を組んで構成し、ロック金具等の支管押え（押さえ金具）にてロール製品の浮き上がりを防止する構成である。具体的には、スチールラック方式の受け台は、縦の補強枠、製品を受ける横桟、Ｕ字形またはＶ字形の支管受け、支管受けに敷かれるゴム製の緩衝材、押さえ金具等を有するとともに、これらの構成をパレットの両側に自立させる回動式の枠組みを有する。
【０００６】
仕切り板方式は、パネルに穴をあけ、少なくとも穴の部分は略半円ずつとなるように２分割し、支管の受け側（下側）となるパネルの穴部にゴム製の緩衝材を貼着して支管受けとするとともに、上部１／２のパネルをロール製品の浮き上がり防止材とするものである。これら上下のパネルは、パレットあるいはボックス（コンテナ）に形成した溝に差し込まれてパレット上あるいはボックス内に立設される。なお、このパネルに相当する構造を枠材にて構成する場合もある。
【０００７】
これらいずれの方式においても、ロール製品用収容部材においては上述したように段積みをすることが要望されているため、ロール製品を収容した収容部材が上に載置された場合にもこれを支持できる構造にする必要がある。そのため通常は、上述の枠組みの両端をその支柱として形成したり、あるいはパレット上に別途支柱を設置したりすることが行われている。
【先行技術文献】
【特許文献】
【０００８】
【特許文献１】特表２００３−５２６５７９号公報
【特許文献２】特開２０１０−１７３７１５号公報
【特許文献３】特開２００６−００１６３７号公報
【考案の概要】
【考案が解決しようとする課題】
【０００９】
ところで、このようなロール製品用収容部材にロール製品を収容する場合、通常は、ホイストクレーンまたはフォークリフト、補助具等を利用してロール製品を上方に吊り上げ、ロール製品用収容部材の上方まで移動し、ロール製品を下方に下ろすことによりその支管を上述の受け台の支管受けに載置するという方法が取られる。また、ロール製品をロール製品用収容部材から取り出す場合は、その反対の動作が実行される。従って、ロール製品を収容あるいは取り出す際には、ロール製品の最下部が収容部材の最上部よりも上になるように吊り上げる必要がある。
【００１０】
段積み可能なロール製品用収容部材の高さは収容したロール製品の高さよりも高いため、通常、ロール製品の収容あるいは取り出しの際には、ロール製品の高さよりも高い位置までロール製品を吊り上げる必要が生じる。上述したように、ロール製品用コンテナにおいては、コンテナを段積みするために枠組みの支柱あるいはパレット上に別途設置された支柱がパレットの周縁に（通常は４角を含む複数箇所に）バランスよく設置されており、ロール製品の収容あるいは取り出しの際には、ロール製品を、側板やそれらの支柱の高さ以上、すなわちコンテナの上縁の高さ以上に吊り上げる必要がある。
【００１１】
また、ロール製品を吊り上げるためには、その上（必要な高さまで吊り上げられたロール製品の上）にさらにクレーン等のロール製品を吊り上げる為の機材を設置するスペースが必要であり、ロール製品の収容や取り出しをする際にはその上部に十分な高さが必要である。
【００１２】
従って、これまで、天井の高さが低い場所でのロール製品の収容や取り出しは困難であった。換言すれば、近年、天井の高さが低い場所や、狭小な場所においても、ロール製品の収容や取り出しを行いたいと言う要望があるが、そのような要望に対応できるロール製品用組み立て式コンテナはなかった。
【００１３】
本考案はこのような課題に鑑みてなされたものであって、その目的は、ロール製品を収容する組み立て式のコンテナであって、天井が低い場所や狭小な場所でもロール製品の収容や取り出しが行えるような、換言すれば、ロール製品の吊り上げる高さが低くて済みロール製品の収容や取り出しが容易に行えるような、ロール製品用組み立て式コンテナを提供することにある。
【課題を解決するための手段】
【００１４】
前記課題を解決するために、本考案のロール製品用組み立て式コンテナ案は、パレットと、前記パレット上に対向して立設される一対の第１の側板と、前記第１の側板に略垂直に前記パレット上に対向して立設され、前記一対の第１の側板の対向する側辺を各々連結する一対の第２の側板と、前記第１の側板及び前記第２の側板の上辺に沿って当該上辺に支持されて設置され、前記第１の側板及び前記第２の側板で囲まれる前記パレット上の収容空間の上部開口を閉塞する上蓋と、前記パレット上に対向して立設される一対の枠組み材であって、前記第１の側板と平行に、当該一対の第１の側板の内側に立設される一対の枠組み材と、前記一対の枠組み材の対向する位置に各々設置され、前記収容空間に収容されるロール製品の支管を受ける一対の支管受けとを有し、前記一対の枠組み材は、前記第１の側板と平行な方向における、ロール製品を収容した場合に当該ロール製品の支管の中心が配置される位置から一方の側端部までの間における高さが、ロール製品を収容した場合に当該ロール製品の支管の最下端となる高さよりも高く、前記第２の側板の高さよりも低い範囲に形成されていることを特徴とするものである。
【００１５】
好ましくは、本考案のロール製品用組み立て式コンテナは、前記パレットの上部周縁に設置され、前記第１の側板が立設される位置に沿って設置される２つの第１の枠部、及び、前記第２の側板が立設される位置に沿って設置される２つの第２の枠部を有する下金枠をさらに有し、前記第１の側板及び前記第２の側板は前記下金枠に沿って前記パレット上に立設され、前記下金枠の、前記２つの第２の枠部の各両端部の内側の対向する位置に、各々、前記枠組み材の下側部が落とし込まれる溝部であって、当該落とし込まれた前記枠組み材の下側部を保持し当該枠組み材を前記パレット上に立設された状態に維持する溝部が形成されていることを特徴とする。
【００１６】
また好ましくは、本考案のロール製品用組み立て式コンテナは、前記下金枠の前記第１の枠部及び前記第２の枠部は、各々、所定の高さの位置に、前記第１の側板及び前記第２の側板が載置され前記立設される段部を有し、前記枠組み材は、当該枠組み材の高さが前記範囲に形成されている側の前記一方の側端部に、スペーサ部であって、当該枠組み材を前記下金枠の前記溝部に落とし込んで当該枠組み材を前記パレット上に立設した状態において前記下金枠の前記段部と同じ高さとなるスペーサ部を有し、前記一対の枠組み材の前記一方の側端部が配置された側の前記第２の枠部においては、当該第２の枠部の前記段部及び前記枠組み材の前記スペーサ部の上部に前記第２の側板が載置されて前記立設されることを特徴とする。
【考案の効果】
【００１７】
本考案によれば、ロール製品を収容する組み立て式のコンテナであって、天井が低い場所や狭小な場所でもロール製品の収容や取り出しが行えるような、換言すれば、ロール製品の吊り上げる高さが低くて済みロール製品の収容や取り出しが容易に行えるような、ロール製品用組み立て式コンテナを提供することができる。
【図面の簡単な説明】
【００１８】
【図１】図１は、本考案の一実施形態のロール製品用コンテナの構成を示す分解斜視図である。
【図２】図２は、図１に示すロール製品用コンテナのパレットの係合受部と上蓋の係合部の構造及びその係合形態を説明するための図である。
【図３】図３は、図１に示すロール製品用コンテナの下金枠及び支管受け用枠組み材の細部を説明するための図であり、支管受け用枠組み材を立設した場合を示す図である。
【図４】図４は、図１に示したロール製品用コンテナの枠組み材の構成を示す図である。
【図５】図５は、図１に示したロール製品用コンテナの支管受けの支管受け部材の構成を示す図である。
【図６】図６は、ロール製品を収容する前のロール製品用コンテナの状態を示す図である。
【図７】図７は、ロール製品を収容した後のロール製品用コンテナの状態を示す図である。
【図８】図８は、折り畳まれたロール製品用コンテナの状態を示す図である。
【図９】図９は、本考案のロール製品用コンテナ及び従来のロール製品用コンテナにおけるロール製品の吊り上げ高さを比較する図である。
【考案を実施するための形態】
【００１９】
本考案の一実施形態のロール製品用組み立て式コンテナ（以下、ロール製品用コンテナと称する。）について、図１〜図９を参照して説明する。
図１は、そのロール製品用コンテナ１の全体構成を示す斜視図である。
図１に示すように、ロール製品用コンテナ１は、パレット１００、床板１５０、下金枠２００、側板３００、支管受け用枠組み材（以下、単に枠組み材と称する場合もある）４００、支管受け５００及び上蓋６００を有する。
【００２０】
パレット１００は、ロール製品用コンテナ１の運搬台である。パレット１００は、所定の高さ（厚さ）を有し平面形状が長方形の部材であり、その上部にロール製品７００を収容する収容空間が形成される。パレット１００の少なくとも長手方向の側面にはフォークリフトの爪部（フォーク）が差し込まれるリフト用開口１１０が形成されている。また、パレット１００の下面の四隅角部には、図２に示すように、ロール製品用コンテナ１を段積みする場合に下段のロール製品用コンテナ１の上蓋６００の係合部（例えば凸部）６３０が係合される係合受部（例えば凹部）１３０が形成されている。
【００２１】
本実施形態においてパレット１００は、ステンレスやアルミニウム等の金属の角材、角筒パイプあるいは断面がＵ字あるいはＬ字の棒状部材が溶接等により連結されて形成されているものとする。ただし、パレット１００は樹脂成型により製造された樹脂パレットであってもよい。
【００２２】
床板１５０は、図１に示すように、パレット１００の上部の下金枠２００の内側に敷設され、ロール製品用コンテナ１の内部のロール製品７００の収容空間の下面を規定し閉塞する板状部材である。
床板１５０は、例えばプラスチック段ボール板、合成樹脂板（発泡合成樹脂板を含む）あるいは薄い金属板等の面部材により形成される。
【００２３】
下金枠２００は、パレット１００の上面の周縁に沿って立設される枠部材であって、側板３００（第１の側板３１０及び第２の側板３２０）及び枠組み材４００の位置を規定するとともに、これらを立設させるための部材である。
下金枠２００は、パレット１００の短手方向の辺縁に沿って対向して立設される一対の第１の下金枠２１０と、第１の下金枠２１０の対向する側縁を各々接続するように第１の下金枠２１０に略垂直にパレット１００の長手方向の辺縁に沿って対向して立設される一対の第２の下金枠２２０とを有する。
【００２４】
第１の下金枠２１０及び第２の下金枠２２０は、図１及び図３に示すように、所定の高さに形成された水平面である段部２１１，２２１を有する。この段部２１１，２２１上に側板３００が載置される。すなわち、第１の下金枠２１０の段部２１１上に第１の側板３１０が載置され、第２の下金枠２２０の段部２２１上に第２の側板３２０が載置される。従って、段部２１１，２２１の幅は、第１の側板３１０及び第２の側板３２０の幅と略等しい。
【００２５】
段部２１１，２２１の外部側上面には、側板３００の下枠の外面を支持する上部枠２１２，２２２が形成されている。また、段部の内部側下面のパレット１００の上面との間は下部枠２１３，２２３に形成されており、ロール製品用コンテナ１の内部収容空間の下部を囲んでいる。
【００２６】
パレット１００の四隅に配置される第１の下金枠２１０と第２の下金枠２２０との各接続部には、第１の側板３１０及び第２の側板３２０を各々着脱自在に連結する、あるいは、パレット１００上に傾倒可能に連結する連結部２３０が形成されている。
連結部２３０は、ロール製品用コンテナ１が組み立てられる時には、第１の側板３１０及び第２の側板３２０が各々上述したように第１の下金枠２１０及び第２の下金枠２２０の段部２１１，２２１上に載置された状態となるように、第１の側板３１０及び第２の側板３２０の両方あるいはいずれか一方の下部両側を保持する。
【００２７】
また、連結部２３０は、ロール製品用コンテナ１が折り畳まれる時には、第１の側板３１０及び第２の側板３２０との連結を解除するか、あるいは、第１の側板３１０及び第２の側板３２０を回動可能な遊合状態として、第１の側板３１０及び第２の側板３２０がパレット１００の上面に載置可能な状態とする。本実施形態のロール製品用コンテナ１においては、ロール製品用コンテナ１が折り畳まれる時、一方の第２の側板３２１は、下金枠２００の連結部２３０に遊合状態とされて下金枠２００に連結された状態でパレット１００の上部に傾倒される構成とされる。また第１の側板３１０及び他方の第２の側板３２２は、抜き取られることにより下金枠２００との連結も完全に解除され、分離した板部材としてパレット１００の上部に積載される。
【００２８】
また、下金枠２００は、ロール製品用コンテナ１が折り畳まれた際に、上蓋６００が直接嵌合設置される支持部材となる。すなわち、ロール製品用コンテナ１が折り畳まれた時には側板３００（第１の側板３１０及び第２の側板３２０）及び枠組み材４００はパレット１００上に載置されこれらの上部が上蓋６００により閉塞されることとなるが、その際、上蓋６００は下金枠２００に対して直接に嵌合設置される。そのために、下金枠２００は、ロール製品用コンテナ１が折り畳まれてパレット１００上に第１の側板３１０、第２の側板３２０及び枠組み材４００が積層状態に載置された時の高さよりも高い高さを有する。
【００２９】
本実施形態のロール製品用コンテナ１においては、下金枠２００の四隅の連結部２３０が、ロール製品用コンテナ１が折り畳まれた際に上蓋６００が嵌合されるとともにこれを支持する支柱として形成されている。
【００３０】
図１及び図３に示すように、第２の下金枠２２０の両側の第１の下金枠２１０との接続部近傍、すなわち、連結部２３０のすぐ内側には、支管受け用枠組み材４００を立設するための溝部２４０が形成されている。溝部２４０は、一対の第２の下金枠２２０の各両端部の下部枠２２３の内側に対向するように形成されており、枠組み材４００は、両側端部が対向する溝部２４０に挿入されることによりパレット１００上に立設される。
【００３１】
なお、この第２の下金枠２２０の両端部の溝部２４０の位置により、枠組み材４００の位置が規定され、収容するロール製品７００の支管７１０の支持位置、支持間隔が決められる、すなわち収容するロール製品７００の長さが決められることになる。従って、この溝部２４０の間隔は、収容対象のロール製品７００の長さに応じて決定される。
【００３２】
側板３００は、図１に示すように、パレット１００の上面周縁部に下金枠２００に沿って立設され、パレット１００の上部空間を取り囲み、パレット１００上にロール製品７００を収容する収容空間を形成する。側板３００は、パレット１００の短手方向の辺縁に沿って対向して立設される一対の第１の側板３１０と、第１の側板３１０の対向する側辺を各々接続するように第１の側板３１０に略垂直にパレット１００の長手方向の辺縁に沿って対向して立設される一対の第２の側板３２０とを有する。
【００３３】
側板３００は、例えばプラスチック段ボール板、合成樹脂板（発泡合成樹脂板を含む）あるいは薄い金属板等の面部材に金属等の枠組み材が装着されて形成される。
【００３４】
これら第１の側板３１０及び第２の側板３２０の各々あるいは少なくともいずれか一方は、上述したように下金枠２００の連結部２３０により、具体的には連結部２３０として構成された固定手段、係止手段などにより、下金枠２００に着脱自在あるいは回動自在に設置される。
【００３５】
本実施形態のロール製品用コンテナ１においては、一方の第２の側板３２１は下金枠２００の連結部２３０に回動可能であって離脱不能に連結されており、ロール製品用コンテナ１が組み立てられる時には下金枠２００の第２の下金枠２２０に沿って立設される構成である。また、第１の側板３１０は、立設された一方の第２の側板３２１の辺縁に形成された溝に差し込まれることにより、下金枠２００の第１の下金枠２１０に沿って立設される構成である。また、他方の第２の側板３２２は、対向して立設された第１の側板３１０の対向する辺縁に対向するように形成された溝に差し込まれることにより、対向する第１の側板３１０の対向する辺縁の間に立設される構成である。
【００３６】
また、第１の側板３１０及び第２の側板３２０の各々は、係止手段３３０により、その両側上端部で相互に連結される。これにより、各側板３００は相互に抜けや傾倒が防止され、パレット１００上にロール製品７００の収容空間を形成する。
ロール製品用コンテナ１においては、このような構成により４枚の側板３００（各２枚の第１の側板３１０及び第２の側板３２０）が下部両端及び上部両端で順次相互に確実に連結される。その結果、パレット１００上にロール製品７００を収容する収容空間を有する組み立て状態のロール製品用コンテナ１であって、高い剛性を有するロール製品用コンテナ１が形成される。
【００３７】
また、ロール製品７００を収容せずにロール製品用コンテナ１を保管しておく場合あるいはロール製品用コンテナ１を回送する場合には、下金枠２００の連結部２３０及び係止手段３３０による第１の側板３１０及び第２の側板３２０の下部両端及び上部両端の連結、係合状態を各々解除し、側板３００を相互に離脱させるとともに、下金枠２００から離脱させ、あるいは、下金枠２００と遊合状態として傾倒可能にし、板面がパレット１００と平行になるようにパレット１００上に載置する。その結果、ロール製品用コンテナ１は折り畳まれる。
【００３８】
枠組み材（支管受け用枠組み材）４００は、ロール製品７００を保持するためにロール製品用コンテナ１の内部収容空間に対向して設置される一対の部材である。枠組み材４００は、図３を参照して上述したように下金枠２００に形成された溝２４０にその下部が挿入されることにより、第１の側板３１０のすぐ内側に対向して設置される。枠組み材４００には、支管受け５００が設置されており、この支管受け５００が、収容対象のロール製品７００の両側においてロール製品７００の支管７１０の両端を支持し、これを保持する。
【００３９】
枠組み材４００は、パレット１００と同様に、ステンレスやアルミニウム等の金属の角材、角筒パイプあるいは断面がＵ字あるいはＬ字の棒状部材で形成される。枠組み材４００は、これらの棒状部材が図示のごとく格子状に配置されて、溶接等により連結されて形成されたものである。
【００４０】
図４に示すように、枠組み材４００は、上枠４１１、下枠４１２、一方の側枠４１３、他方の側枠４１４及び２本の中間支柱４１５を有する基部、及び、基部の上に形成される製品搬出入側支管受け支持枠４２１及び奥側支管受け支持枠４２４を有する。
【００４１】
枠組み材４００の基部は、上枠４１１、下枠４１２、一方の側枠４１３、他方の側枠４１４及び中間支柱４１５が図示の如く梯子状に連結されて構成されたものである。
後述するように、枠組み材４００においては、上枠４１１の上部の製品搬出入側支管受け支持枠４２１と奥側支管受け支持枠４２４との間に支管受け５００が設置され、収容するロール製品７００の支管７１０の最下部を支管受け５００を介して上枠４１１上に支持する。従って、収容対象のロール製品７００の外径（最大径）に基づいて、上枠４１１の設置高さ、換言すれば上枠４１１の一方の側枠４１３及び他方の側枠４１４への連結位置、及び、中間支柱４１５の長さが規定される。
【００４２】
枠組み材４００の一方の側枠４１３は、製品搬出入面側の支柱である。一方の側枠４１３は、上枠４１１とほぼ同じ高さに形成され、その上部において、上枠４１１と連結されるとともに、製品搬出入側支管受け支持枠４２１の傾斜枠４２２の一端部とも連結される。
【００４３】
枠組み材４００の一方の側枠４１３側の側端面下部には、図３及び図４に示すように、スペーサ４３０が貼着されている。スペーサ４３０は、図３に示すように、下金枠２００の第２の下金枠２２０の段部２２１の高さと略等しい高さを有する。従って、枠組み材４００が下金枠２００の溝部２４０に挿入された場合には、スペーサ４３０の上面は下金枠２００の第２の下金枠２２０の段部２２１と同じ高さの同一平面を形成する。上述したように、下金枠２００の段部２１１，２２１の幅は第１の側板３１０及び第２の側板３２０の幅と略等しく、第２の側板３２０は、第２の下金枠２２０の上部枠２２２と枠組み材４００の一方の側枠４１３及び他方の側枠４１４との間に嵌合設置されるが、一方の側枠４１３側においては、一方の側枠４１３と第２の下金枠２２０の上部枠２２２との間にスペーサ４３０が介在して他方の第２の側板３２２が嵌合可能な幅を広くしているために、他方の第２の側板３２２の差し込み及び抜き取りが容易に行えるようになっている。すなわち、ロール製品用コンテナ１の長手方向の側面のうち、枠組み材４００の一方の側枠４１３が配置された側においては、他方の第２の側板３２２の差し込み及び抜き取りが容易に行えるようになっている。
【００４４】
枠組み材４００の他方の側枠４１４は、ロール製品用コンテナ１の短手方向において製品搬出入側とは反対側（奥側）に設置される支柱（奥側支柱）であり、一方の第２の側板３２１側に配置される。
他方の側枠４１４は、上枠４１１との連結位置からさらに上部に、側板３００の上縁とほぼ等しい高さにまで延伸した構成である。他方の側枠４１４は、中間部において上枠４１１と連結されるとともに、上枠４１１との連結箇所と上端との間において奥側支管受け支持枠４２４のロックレバー設置枠４２５の一方の端部と連結されている。
【００４５】
上枠４１１の上辺には、製品搬出入側支管受け支持枠４２１、奥側支管受け支持枠４２４が構成され、これらに支持されて支管受け５００が設置されている。
【００４６】
製品搬出入側支管受け支持枠４２１は、傾斜枠４２２と支管受け設置枠４２３とを有する。
支管受け設置枠４２３は、上枠４１１に対して略垂直に設置された部材であって、支管受け５００の一方の側部を支持する。支管受け設置枠４２３の高さは支管受け５００の高さに略等しい。
傾斜枠４２２は、支管受け設置枠４２３を所定位置に垂直に維持するための枠材であり、支管受け設置枠４２３の上端部と一方の側枠４１３の上端部とを連結する。従って傾斜枠４２２は、図示のごとく製品搬出入側方向に下方向に傾斜した姿勢に設置されている。
【００４７】
製品搬出入側支管受け支持枠４２１の上部（傾斜枠４２２又は支管受け設置枠４２３の上部）には、支管受け５００の支管受け部材５１０に収容したロール製品７００の支管７１０の抜け及び上下振動を阻止する支管押え５２０が設置される。支管押え５２０等の構成については後に詳述する。
【００４８】
奥側支管受け支持枠４２４は、ロックレバー設置枠４２５と支管受け設置枠４２６とを有する。
支管受け設置枠４２６は、上枠４１１に対して略垂直に設置された部材であって、支管受け５００の他方の側部を支持する。支管受け設置枠４２６は、製品搬出入側支管受け支持枠４２１の支管受け設置枠４２３と平行に、その支管受け設置枠４２３と支管受け５００の幅に等しい間隔を離して設置され、製品搬出入側支管受け支持枠４２１の支管受け設置枠４２３とともに支管受け５００を両側から挟持する。支管受け設置枠４２６の高さは支管受け５００の高さに略等しい。
【００４９】
ロックレバー設置枠４２５は、支管受け設置枠４２６を所定位置に垂直に維持する枠材であり、支管受け設置枠４２６の上端部と他方の側枠４１４の途中部分とを連結する。ロックレバー設置枠４２５は、製品搬出入側支管受け支持枠４２１の傾斜枠４２２とは異なり傾斜しておらず、上枠４１１と平行に、すなわち水平に、支管受け設置枠４２６と他方の側枠４１４とを連結している。
【００５０】
また、奥側支管受け支持枠４２４には、支管受け５００の支管押え５２０が支管受け部材５１０の上部開放を閉塞した状態に維持するロックレバー５３０が設置されている。ロックレバー５３０等の構成については後に詳述する。
【００５１】
このように形成された枠組み材４００の製品搬出入側支管受け支持枠４２１の支管受け設置枠４２３と奥側支管受け支持枠４２４の支管受け設置枠４２６との間に、支管受け５００が固定設置される。
【００５２】
支管受け５００は、支管受け部材５１０、支管押え５２０、ロックレバー５３０及び支管ストッパー５４０を有する。
支管受け部材５１０は、ロール製品７００の端部の支管７１０を受ける部材であり、上方に開口を有するＵ字形状の部材であって、出入側支管受け支持枠４２１の支管受け設置枠４２３と奥側支管受け支持枠４２４の支管受け設置枠４２６との間に設置される。
【００５３】
支管受け部材５１０の内周部には、図５に示すように、緩衝ゴム５１２が設置されている。緩衝ゴム５１２は、支管受け部材５１０の上部において螺子５１１により支管受け部材５１０の基部に固定されており、その中間部においては両面テープにより支管受け部材５１０の内周面に貼着されている。
【００５４】
支管押え５２０は、支管受け部材５１０の上方開口を開閉するとともに、支管受け部材５１０に収容載置されたロール製品７００の支管７１０を上方から押さえ、支管７１０の上下移動（振動）を防止する部材である。
【００５５】
支管押え５２０は、棒状の部材であって、一方の端部が製品搬出入側支管受け支持枠４２１の支管受け設置枠４２３の上端部に回動自在に取り付けられている。支管受け部材５１０の上部を開放する状態とされた時、支管押え５２０は、傾斜枠４２２の位置まで回動されて、実質的に傾斜枠４２２と一体的な状態とされる。従って、支管受け部材５１０の上部を開放した状態において、製品搬出入面側の枠組み材４００の高さは、製品搬出入側支管受け支持枠４２１の高さ、換言すれば支管受け部材５１０の製品搬出入面側の縁の高さと略同じである。
【００５６】
また、支管押え５２０の他方の端部（自由端）は、奥側支管受け支持枠４２４のロックレバー設置枠４２５に設置された係止手段としてのロックレバー５３０に係止されるようになっている。支管押え５２０の他方の端部は、ロックレバー設置枠４２５の上面と接触する面側に下方（ロックレバー設置枠４２５方向）に向かって図示せぬピンが形成されている。ロックレバー設置枠４２５の上面にはこのピンが挿入される孔が形成されており、支管押え５２０により支管受け部材５１０の上方開口を閉じた場合には、このピンが孔に挿入されるようになっている。
【００５７】
奥側支管受け支持枠４２４のロックレバー設置枠４２５には、支管押え５２０の他方側の先端部に形成された上述の図示せぬピンが挿入される孔が形成されているとともに、ロックレバー５３０が設置されている。ロックレバー５３０は、前記ピンが孔に挿入されてロックレバー設置枠４２５に接するように配置された支管押え５２０の他方の端部を上方向に移動不能に係合する部材である。ロックレバー５３０は、支管受け５００側の端部において水平方向にスライドする押さえ部を有し、この押さえ部が支管押え５２０の他方の端部の上方に配置されることにより、支管押え５２０が回動不能にされる。
【００５８】
支管受け５００にロール製品７００の支管７１０をセットする場合には、支管押え５２０の自由端側の係止は解除され、支管受け部材５１０の上方開口は開いた状態とされる。そして、支管受け部材５１０にロール製品７００の支管７１０をセットしたら、支管押え５２０を支管受け部材５１０の上部を塞ぐように回動させ、自由端側を奥側支管受け支持枠４２４のロックレバー設置枠４２５に設置された支管押え５２０により係止する。これにより、支管受け部材５１０の上部が閉塞した状態となるとともに、支管押え５２０によりロール製品７００の上部が移動不能に押えられた状態とされ、ロール製品７００の支管７１０は支管受け５００により確実に支持される。
【００５９】
支管ストッパー５４０は、支管受け５００に設置されたロール製品７００の支管７１０の端部を規制する板状部材である。支管ストッパー５４０は、一対の枠組み材４００の対向面とは反対側（外側）となる側の上枠４１１の中央付近であって、支管受け部材５１０の底部分に相当する箇所に設置され、ロール製品用コンテナ１に収容されたロール製品７００の軸方向の移動を規制するとともに、その振動を抑制する。
【００６０】
上蓋６００は、パレット１００上に側板３００（第１の側板３１０及び第２の側板３２０）により形成される内部収容空間の上部開口を閉塞する平板状部材である。
上蓋６００は、ロール製品用コンテナ１が組み立てられた状態においては、４枚の側板３００の上縁に係合し、ロール製品用コンテナ１の内部収容空間の上部開口を閉塞する。また、上蓋６００は、ロール製品用コンテナ１が折り畳まれた状態においては、下金枠２００の４隅に支柱形態で構成されている連結部２３０に係合し、パレット１００上に水平に積層載置された４枚の側板３００及び２枚の枠組み材４００の上部を閉塞する。
【００６１】
上蓋６００の上面には、ロール製品７００を内部に収容した状態で、あるいは、ロール製品用コンテナ１が前述したように解体された状態で、ロール製品用コンテナ１が順次段積み可能なように、係合部（例えば凸部）６３０が形成されている。上蓋６００の係合部６３０は、前述したパレット１００の下面に形成される係合部（例えば凹部）１３０に係合されるような配置、形状に形成されている。図２に示すように、上蓋６００の上面の係合部（例えば凸部）６３０をパレット１００の下面の係合部（例えば凹部）１３０に係合させてロール製品用コンテナ１を順次段積みすることにより、段積みしたロール製品用コンテナ１のズレ等が防止される。
【００６２】
上蓋６００も、側板３００と同様に、例えばプラスチック段ボール板、合成樹脂板（発泡合成樹脂板を含む）あるいは薄い金属板等の面部材により構成される。
【００６３】
このような構成のロール製品用コンテナ１の使用方法について図６〜図８を参照して説明する。
まず、ロール製品用コンテナ１にロール製品７００を収容する方法について説明する。
ロール製品用コンテナ１を使用する場合には、まずロール製品用コンテナ１を組み立てる。ロール製品用コンテナ１を組み立てる際には、まず、一方の第２の側板３２１を回動してパレット１００上に立設状態とし、立設された一方の第２の側板３２１の側縁の溝に対向する第１の側板３１０を差し込み、対向して立設された第１の側板３１０の対向する側縁の対向する溝に他方の第２の側板３２２を差し込み、隣接する側板の上部を係止手段３３０で結合することによりロール製品用コンテナ１上に側板３００を立設する。なお、ロール製品７００を搬出入する側の他方の第２の側板３２２については、ロール製品７００を収容した後に設置するものとしてこの段階では設置しないのが好ましい。
【００６４】
次に、下金枠２００の溝２４０に枠組み材４００の両端を嵌合挿入することにより、一対の枠組み材４００を各々パレット１００上に立設する。この状態のロール製品用コンテナ１を図６に示す。なお、図６においては、側板３００は図示省略する。
【００６５】
次に、枠組み材４００が設置されたロール製品用コンテナ１に対してロール製品７００を収容する。
対向して配置されている支管受け５００の支管押え５２０を回動し、支管受け部材５１０の上部を開放状態とする。そして、例えばクレーン等によりロール製品７００を吊り上げ、ロール製品用コンテナ１のパレット１００の上部に移動させ、ロール製品７００の支管７１０が支管受け部材５１０に挿入されるようにロール製品７００を下方に降ろす。
【００６６】
この際、ロール製品用コンテナ１の枠組み材４００の製品搬出入面側に配置される支管受け支持枠４２１は支管受け５００の縁と略同じ高さしかなく、一方の側枠４１３はさらにそれより低い。従って、ロール製品７００の吊り上げは、ロール製品７００の支管７１０がこの製品搬出入側支管受け支持枠４２１の上部を接触せずに通過できる高さだけ吊り上げれば足りる。換言すれば、枠組み材４００の製品搬出入面側に配置される一方の側枠４１３及び支管受け支持枠４２１は、奥側の他方の側枠４１４のように側板３００の高さと略等しい高さを有するものではないので、ロール製品７００は支管７１０が他方の側枠４１４の上部を通過できる程の高さまで吊り上げる必要はなく、相当程度低い高さ吊り上げればよい。従って、その収容及び取り出しは極めて容易である。
【００６７】
そして、ロール製品７００の両側の支管７１０が各々対向配置される支管受け部材５１０に配置されるようにロール製品７００を収容したら、支管押え５２０を回動させて支管受け部材５１０の上部開放を閉塞し、その状態でロックレバー５３０を操作して支管押え５２０が移動不能に、すなわち支管受け部材５１０の上部開放が閉塞された状態に維持されるようにする。
その状態を図７に示す。なお、図７においては、理解を容易にするために一方の第１の側板３１０については図示省略する。
【００６８】
その後、製品搬出入側の他方の第２の側板３２２を設置し、上蓋６００を閉じることによりロール製品用コンテナ１に対するロール製品７００の収容が終了し、ロール製品用コンテナ１は搬送可能な状態となる。
【００６９】
次に、ロール製品用コンテナ１に収容したロール製品７００を取り出し、さらにロール製品用コンテナ１を折り畳む方法について説明する。
ロール製品７００を取り出すには、ロール製品用コンテナ１の上蓋６００を開け、製品搬出入側の他方の第２の側板３２２を抜き取り外す。
そして、支管受け５００のロックレバー５３０を操作して支管押え５２０の係止状態を解除し、支管押え５２０を回動して傾斜枠４２２上に移動させ、支管受け部材５１０の上部を開放する。
【００７０】
そして、クレーン等によりロール製品７００の支管７１０を支持し、クレーンを操作することによりロール製品７００を吊り上げ、ロール製品７００の支管７１０を支管受け部材５１０より上に持ち上げる。
ロール製品７００の支管７１０の下部が、支管受け５００の支管受け部材５１０の縁、製品搬出入側支管受け支持枠４２１の上部より高くなったら、そのままロール製品７００を製品搬出入面側に水平移動させ、ロール製品用コンテナ１の上部から移動させ、その後所望の場所に搬送する。
これによりロール製品７００の取り出しは終了である。
【００７１】
ロール製品７００を取り出したら、枠組み材４００を下金枠２００の溝２４０から抜いてパレット１００上に載置し、ロール製品用コンテナ１の他方の第２の側板３２２及び第１の側板３１０を抜いて同じくパレット１００上に載置し、一方の第２の側板３２１をパレット１００上に傾倒させ、これらの上部に上蓋６００を設置する。これにより、ロール製品用コンテナ１の折り畳みは完了し、図８に示すような折り畳まれた状態となる。
【００７２】
このように、本実施形態のロール製品用コンテナ１においては、ロール製品７００を搬出入する側においては、枠組み材４００の一方の側枠４１３を例えば他方の側枠４１４のように高くせず、支管受け５００の支管受け部材５１０の縁よりもさらに低い高さに形成している。そして、枠組み材４００の製品搬出入側においては、最も高い構造であっても支管受け５００の支管受け部材５１０の縁と略同じ高さとしている。従って、ロール製品７００をロール製品用コンテナ１に収容あるいは取り出しする際には、図９（Ａ）に示すように、ロール製品７００を、支管７１０が支管受け部材５１０の縁よりもわずかでも超える高さまで吊り上げれば済み、従来のように、例えば図９（Ｂ）に示すようにロール製品７００の最下部が側板の上縁よりも高くなるまで、高く吊り上げる必要がない。
【００７３】
従って、ロール製品用コンテナ１に対するロール製品７００の収容を非常に容易に簡単に行うことができる。また、狭い空間や、天井の低い空間でもロール製品７００の収容や取り出しを行うことができる。
【００７４】
ロール製品７００を収容あるいは取り出すために最低限必要なロール製品７００の吊り上げ高さは、ロール製品７００の製品部分の最下部あるいは支管７１０の最下部がロール製品用コンテナ１の構造と干渉しない高さである。より具体的には、ロール製品７００は、軸方向の位置が支管ストッパー５４０の内側の範囲となるように配置されるので、その間の製品搬出入側のロール製品用コンテナ１の構造と干渉しない高さまで吊り上げる必要がある。
【００７５】
本考案のロール製品用コンテナ１においては、製品搬出入側の側板（他方の第２の側板３２２）は製品搬出入時には抜き取ってしまうので製品と干渉することはなく、金枠（第２の下金枠２２０）の高さも十分に低くロール製品７００と干渉することは略ないと言え、結局ロール製品７００の最低吊り上げ高さは、枠組み材４００及び支管受け５００の製品搬出入側の高さに依存する。なお、その枠組み材４００及び支管受け５００の位置を通過するのは、ロール製品７００の製品部分ではなく支管７１０部分である。
【００７６】
従来、この種のロール製品用コンテナにおいては、図９（Ｂ）に示すように、枠組み材４００の両側の側枠が本実施形態の他方の側枠４１４と同様に側板３００の高さに略等しい高さに形成されていたので、ロール製品７００は、支管７１０がこの高さを超えるまで吊り上げなければならなかった。
これに対して本願考案のロール製品用コンテナ１においては、枠組み材４００の製品搬出入側の構造である製品搬出入側支管受け支持枠４２１は、支管受け部材５１０の製品搬出入側の縁の高さと略同じであり、枠組み材４００の一方の側枠４１３の高さはそれよりも低く枠組み材４００の上枠４１１の高さと略同じである。従って、図９（Ａ）に示すように、従来と比して著しく少ない吊り上げ量でロール製品７００の収容及び取り出しが可能となる。
【００７７】
なお、ロール製品の支管７１０を支管受け部材５１０内に安定して保持するためには、支管受け部材５１０の製品搬出入側の縁の高さは、少なくとも支管受け部材５１０の中央底部の高さよりも高くする必要がある。
【００７８】
従って、本考案は、ロール製品用コンテナ１において、ロール製品７００を収容した場合に当該ロール製品７００の支管７１０の中心が配置される位置から一方の側部（製品搬出入側の側部）までの間において、その構造物の高さが、支管受け部材５１０の中央底部の高さ（ロール製品７００を収容した場合に当該ロール製品７００の支管７１０の最下端となる高さ）よりも高く、従来の通常の構成である（第２の側板の高さに略等しい）他方の側枠４１４の高さよりも低い範囲に形成するという技術内容を特徴とするものである。このような構造において、上述の本考案の効果は十分に発揮される。
【００７９】
なお、前述した実施形態は、本考案の理解を容易にするために記載されたものであって本考案を何ら限定するものではない。本実施形態に開示された各要素は、本考案の技術的範囲に属する全ての設計変更や均等物をも含み、また任意好適な種々の改変が可能である。
【産業上の利用可能性】
【００８０】
本考案は、例えば磁気テープ、液晶用フィルム、金属箔、各種フィルムシート、織物などのロール製品の収容、保管、搬送等が必要な種々の分野において利用可能である。
【符号の説明】
【００８１】
１…ロール製品用コンテナ
１００…パレット
１１０…リフト用開口
１３０…係合受部（凹部）
１５０…床板
２００…下金枠
２１０…第１の下金枠
２２０…第２の下金枠
２１１，２２１…段部
２１２，２２２…上部枠
２１３，２２３…下部枠
２３０…連結部
２４０…溝部
３００…側板
３１０…第１の側板
３２０…第２の側板
３２１…一方の第２の側板
３２２…他方の第２の側板
３３０…係止手段
４００…枠組み材（支管受け用枠組み材）
４１１…上枠
４１２…下枠
４１３…一方の側枠
４１４…他方の側枠
４１５…中間支柱
４２１…製品搬出入側支管受け支持枠
４２２…傾斜枠
４２３…支管受け設置枠
４２４…奥側支管受け支持枠
４２５…ロックレバー設置枠
４２６…支管受け設置枠
４３０…スペーサ
５００…支管受け
５１０…支管受け部材
５１１…螺子
５１２…緩衝ゴム
５２０…支管押え
５３０…ロックレバー
５４０…支管ストッパー
６００…上蓋
６３０…係合部（凸部）
７００…ロール製品
７１０…支管
【図１】
0003183113.tif 000003
【図２】
0003183113.tif 000004
【図３】
0003183113.tif 000005
【図４】
0003183113.tif 000006
【図５】
0003183113.tif 000007
【図６】
0003183113.tif 000008
【図７】
0003183113.tif 000009
【図８】
0003183113.tif 000010
【図９】
0003183113.tif 000011